(57)【要約】【課題】  天井高さを高くできる天井用冷暖房構造体を提供することである。【解決手段】  躯体１に複数の梁２を設けた構造体において、枠部材１３を躯体から吊り下げるとともに、この枠部材１３は、上記梁２の下端よりも上方に位置させてなる。そして、この枠部材１３にメイン輻射パネル１４およびサブ輻射パネル２０を掛け止める。一方、このサブ輻射パネル２０は、上記梁２の長手方向に沿って設けるとともに、サブ輻射パネル２０の長手方向に直交する方向の断面形状を凹状にし、この凹部２０ａで上記梁２を覆っている。【選択図】  図１
2006138497.tif 000002
【特許請求の範囲】
【請求項１】
躯体に複数の梁を設けた構造体において、枠部材を躯体から吊り下げるとともに、この枠部材は、上記梁の下端よりも上方に位置させてなり、この枠部材にメイン輻射パネルおよびサブ輻射パネルを掛け止める一方、このサブ輻射パネルは、上記梁の長手方向に沿って設けるとともに、サブ輻射パネルの長手方向に直交する方向の断面形状を凹状にし、この凹部で上記梁を覆ってなる天井用冷暖房構造体。
【請求項２】
上記梁の側面にダクトを沿わせ、これら梁およびダクトをサブ輻射パネルの凹部で覆ってなる請求項１記載の天井用冷暖房構造体。
【請求項３】
メイン輻射パネルは一対のメインパイプ間に複数の放熱パイプを設けたパイプマットを敷設し、サブ輻射パネルは、その凹部の断面形状に沿って折曲した一対のメインパイプとこれらメインパイプ間に設けた細い放熱パイプとを敷設した請求項１または２記載の天井用冷暖房構造体。
【発明の詳細な説明】
【技術分野】
【０００１】
この発明は、躯体に梁を設けた天井に輻射パネルを設ける天井用冷暖房構造体に関する。
【背景技術】
【０００２】
図４、５に示した従来の構造体は、躯体１に複数の梁２を設けるとともに、この梁２の下方に換気用のダクト３を沿わせている。このようにしたダクト３の下方に天井パネルとしての輻射パネル４を設けているが、この輻射パネル４をどのように設けるかは、以下に詳しく説明する。
【０００３】
上記躯体１には支持部材５を吊り下げるとともに、この支持部材５の下端に枠部材６を固定している。また、輻射パネル４は、その長手方向に沿った両側縁部分に掛け止め片４ａを水平に設け、この掛け止め片４ａを、上記のように躯体１から吊り下げた枠部材６に引っかけている。
【０００４】
上記のようにした輻射パネル４には、パイプマットｍを敷いているが、このパイプマットｍは、図５に示すように、一対のメインパイプ７，８間に複数の放熱パイプ９を設けている。そして、このメインパイプ７，８は、図５からも明らかなように、放熱パイプ９をＵ字状に折り曲げるとともに、メインパイプ７，８を、輻射パネル４の長手方向に沿った一方の縁側にまとめている。
【０００５】
また、上記枠部材６上には供給用分配パイプ１０と戻り用分配パイプ１１とを設けているが、供給用分配パイプ１０は、温熱流体あるいは冷却流体を、各パイプマットｍの一方のメインパイプ例えばメインパイプ７に供給するためのものである。また、戻り用分配パイプ１１には、パイプマットの他方のメインパイプ８からの戻り流体が流れ込むようにしている。
【０００６】
したがって、上記供給用分配パイプ１０から温熱流体あるいは冷却流体が各パイプマットｍのメインパイプ７に供給されると、その流体が放熱パイプ９を流通する過程で放熱されるとともに、その放熱パイプ９からの戻り流体が戻り用分配パイプ１１から戻されることになる。
【特許文献１】特開２００１−４９７９０号公報
【発明の開示】
【発明が解決しようとする課題】
【０００７】
上記のようにした従来の天井用冷暖房構造体では、梁２の下方に輻射パネル４を設けているので、輻射パネル４を設ける天井位置が低くなる。特に、図示の従来例では、梁２の下方にダクト３を設けているので、そのダクト３の分も含めると、躯体１から輻射パネル４までの距離が長くなり、天井位置がさらに低くなり、その分室内が狭くなってしまう。
【０００８】
また、最近の建造物は、天井が全体的に高く、天井の低い建造物は古い建物といった印象を一般に与える。そのために、例えば、既存の建物に輻射パネルを設ける場合には、それをなるべく高い位置にすることが望まれる。しかし、上記したように梁２を避けるために、輻射パネル４を、梁２の下方に設けたダクト３のさらに下方に設ける従来の構造体では、どうしても天井高さが低くならざるを得ない。そのために既存の建造物の天井を高くするという要望に応えることができなかった。
【０００９】
この発明の目的は、天井高さを高くできる天井用冷暖房構造体を提供することである。
【課題を解決するための手段】
【００１０】
第１の発明は、躯体に複数の梁を設けた構造体において、枠部材を躯体から吊り下げるとともに、この枠部材は、上記梁の下端よりも上方に位置させてなり、この枠部材にメイン輻射パネルおよびサブ輻射パネルを掛け止める一方、このサブ輻射パネルは、上記梁の長手方向に沿って設けるとともに、サブ輻射パネルの長手方向に直交する方向の断面形状を凹状にし、この凹部で上記梁を覆った点に特徴を有する。
【００１１】
第２の発明は、上記梁の側面にダクトを沿わせ、これら梁およびダクトをサブ輻射パネルの凹部で覆った点に特徴を有する。
第３の発明は、メイン輻射パネルは一対のメインパイプ間に複数の放熱パイプを設けたパイプマットを敷設し、サブ輻射パネルは、その凹部の断面形状に沿って折曲した一対のメインパイプとこれらメインパイプ間に設けた細い放熱パイプとを敷設した点に特徴を有する。
【発明の効果】
【００１２】
第１および第３の発明によれば、梁の下端を、サブ輻射パネルの凹部で覆い、その他の部分にメイン輻射パネルを設けるようにしたので、メイン輻射パネルを、梁の下端よりも上方に設けることができる。したがって、このメイン輻射パネルを高い位置に保つことができ、天井を高くするという要望に応えることができる。
また、サブ輻射パネルを凹部としたので、輻射面積が広くなり、その分冷暖房効率を上げることができる。
【００１３】
第２の発明によれば、ダクトを梁の側面に沿わせるようにしたので、従来の構造体におけるダクトの直径分だけ、メイン輻射パネルおよびサブ輻射パネルを高い位置に設定できる。
【発明を実施するための最良の形態】
【００１４】
図１〜図３に示した実施形態は、躯体１に梁２を設けていることは従来の場合と同様である。また、上記躯体１に支持部材１２を設けているが、この支持部材１２は、躯体１からの長さを、上記梁２の長さよりも短くしている。そして、この支持部材１２には、従来と同様の枠部材１３を設けている。
【００１５】
上記枠部材１３には、天井パネルとしてのメイン輻射パネル１４を掛け止めているが、このメイン輻射パネル１４は、従来の輻射パネル４と同様である。すなわち、メイン輻射パネル１４の長手方向に沿った両側縁部分に掛け止め片１４ａを水平に設け、この掛け止め片１４ａを、上記のように躯体１から吊り下げた枠部材１３に引っかけている。このようにして引っかけられたメイン輻射パネル１４は、梁２よりも上方に設けられることになる。なぜなら、前記したように支持部材１２を梁２よりも短くしているからである。
【００１６】
上記のようにしたメイン輻射パネル１４には、パイプマットｍ1を敷いているが、このパイプマットｍ1も、図５に示す従来のものと同じ構成にしている。すなわち、パイプマットｍ1は、一対のメインパイプ１５，１６間に複数の放熱パイプ９を設けるとともに、このメインパイプ１５，１６は、図２からも明らかなように、放熱パイプ１７をＵ字状に折り曲げるとともに、これら一対のメインパイプ１５，１６を、一方の掛け止め片１４ａ側に沿わせている。
【００１７】
また、上記枠部材１３上には従来と同様の供給用分配パイプ１０と戻り用分配パイプ１１とを設けている点も従来と同様であり、供給用分配パイプ１０は、温熱流体あるいは冷却流体を、各パイプマットｍ1の一方のメインパイプ例えばメインパイプ１５に供給するためのものである。また、戻り用分配パイプ１１には、パイプマットｍ1の他方のメインパイプ１６からの戻り流体が流れ込むようにしている。
【００１８】
したがって、上記供給用分配パイプ１０から温熱流体あるいは冷却流体が各パイプマットｍ1のメインパイプ１５に供給されると、その流体が放熱パイプ１７を流通する過程で放熱されるとともに、その放熱パイプ１７を流通した戻り流体がメインパイプ１６を介して戻り用分配パイプ１１から戻されることになる。
なお、この発明は、上記したパイプマットに限定されるものではない。例えば、梁橋ポリエチレンパイプやポリブデンパイプからなる１本の熱交換パイプを蛇行させながらメイン輻射パネル１４の全面に均等に敷き、供給用分配パイプ１０と戻り用分配パイプ１１に接続してもよい。
【００１９】
また、上記梁２の両側にはダクト１８，１９を設けている。この２本のダクト１８，１９のそれぞれを梁２の両側に配置することによって、従来のダクト３の直径分だけ天井高さを高くすることができる。
【００２０】
一方、梁２を覆うためのサブ輻射パネル２０は、その中央部分に凹部２０ａを形成するとともに、この凹部２０ａの長手方向に沿った両側縁部分に水平部２０ｂを形成し、この水平部２０ｂに掛け止め片２０ｃを形成している。そして、この掛け止め片２０ｃを上記枠部材１３に引っかけることによって、図１に示すように、梁２を完全に覆うことができるようにしている。
【００２１】
なお、上記のように梁２を覆ったサブ輻射パネル２０の凹部２０ａには、２本のダクト１８，１９が位置するようにしている。言い換えると、凹部２０ａは２本のダクト１８，１９を覆うだけの大きさを保っている。
【００２２】
上記のように梁２を覆ったサブ輻射パネル２０は、その中にパイプマットｍ2を設けているが、このパイプマットｍ2は、このサブ輻射パネル２０の長手方向における一方の端部にメインパイプ２１を設けるとともに、他方の端部にメインパイプ２２を設け、これら両メインパイプ２１，２２間に複数の放熱パイプ２３を設けている。
【００２３】
なお、メイン輻射パネル１４と、サブ輻射パネル２０とで、パイプマットの形態を変えたのは次の理由からである。すなわち、メイン輻射パネル１４は、その面積が十分に大きいので、メイン輻射パネル１４の幅方向に放熱パイプ２３を沿わせるとともに、それをＵ字状に折り返すスペース的なゆとりがある。しかも、パイプマットｍ1は、そのメインパイプ２１，２２を一箇所に集めた方が、配管等で有利になる。このように配管等で有利な条件を利用するために、メイン輻射パネル１４は、従来と同様のパイプマットを利用している。
【００２４】
しかし、サブ輻射パネル２０の場合には、全体の天井高さを十分に保つために、その大きさを、梁２および２本のダクト１８，１９を覆うのに必要最小限にしている。したがって、サブ輻射パネル２０の幅もそれほど大きくとれない。そのために、放熱パイプ２３をＵ字状に折曲してメインパイプ２１，２２を一箇所に集めるスペース的なゆとりがない。しかも、サブ輻射パネル２０は、躯体の長い梁を覆うために長く形成する必要がある。そのために、サブ輻射パネル２０におけるパイプマットｍ2は、メインパイプ１５，１６を対向させたタイプのものを利用している。
なお、サブ輻射パネル２０も、上記したパイプマットに限定されるものではなく、１本の熱交換パイプを蛇行させながら敷設してもよい。
【００２５】
上記のようにした実施形態においては、メイン輻射パネル１４を、梁２の下端よりも上方に位置させることができる。そして、天井全体としてはこのメイン輻射パネル１４を設けるエリアが圧倒的に多いので、全体的に天井の高さを高くすることができる。しかも、一対のダクト１８，１９を梁２の両側に沿わせるように配置したので、ダクト１８，１９が天井高さを低くする要因にはならない。
【００２６】
そして、上記梁２およびダクト１８，１９をサブ輻射パネル２０で覆うようにしたので、このサブ輻射パネル２０の凹部２０ａが、部屋側から見れば凸状のラインに見えることになる。このように天井に凸状のラインができることによって、天井全体にも凹凸のアクセントを付けることができる。
なお、上記サブ輻射パネル２０の凹部は、図示しないが逆台形状や半円弧状などとすることもできる。
【図面の簡単な説明】
【００２７】
【図１】実施形態の構造体の部分を示した断面図である。
【図２】メイン輻射パネルとサブ輻射パネルとの連接状態を示した部分斜視図である。
【図３】サブ輻射パネルの斜視図である。
【図４】従来の構造体の部分を示した断面図である。
【図５】パイプマットの平面図である。
【符号の説明】
【００２８】
１        躯体
２        梁
１３        枠部材
１４        メイン輻射パネル
ｍ1       パイプマット
１５、１６  メインパイプ
１７        放熱パイプ
１８，１９  ダクト
２０        サブ輻射パネル
２０ａ      凹部
ｍ2       パイプマット
２１，２２  メインパイプ
２３        放熱パイプ
【図１】
2006138497.tif 000003
【図２】
2006138497.tif 000004
【図３】
2006138497.tif 000005
【図４】
2006138497.tif 000006
【図５】
2006138497.tif 000007